【手続補正書】
【提出日】平成16年4月19日(2004.4.19)
【手続補正１】
【補正対象書類名】明細書
【補正対象項目名】発明の名称
【補正方法】変更
【補正の内容】
【発明の名称】充電システム、蓄電装置、充電装置及び電子装置


【手続補正２】
【補正対象書類名】明細書
【補正対象項目名】特許請求の範囲
【補正方法】変更
【補正の内容】
【特許請求の範囲】
【請求項１】
電力を蓄積する蓄電装置と、当該蓄電装置を充電する充電装置とから構成され、当該蓄電装置は、当該充電装置に装着され、電力が充電された後、使用対象装置に装着され、使用対象装置に電力を供給する充電システムにおいて、
上記蓄電装置は、
電力を蓄積する蓄電手段と、
上記蓄電手段に蓄積されている蓄積電力又は上記蓄電手段に蓄積されている電力が消費された際の消費電力を検出する電力検出手段と、
上記電力検出手段の検出出力を積算して、上記蓄電手段に蓄積されている電力量を演算する第１の演算処理手段と、
上記使用対象装置に装着された際に、使用対象装置の消費電力情報を抽出する消費電力情報抽出手段と、
上記第１の演算処理手段の演算処理に用いられ、上記第１の演算処理手段により演算された上記電力量と、上記消費電力情報抽出手段により抽出された上記消費電力情報を記憶する第１の記憶手段と、
上記充電装置及び上記使用対象装置とデータの通信を行う第１のインターフェース手段とを具備し、
上記充電装置は、
上記蓄電装置が装着された際に、上記蓄電手段に電力を供給する電力供給手段と、
上記電力供給手段から出力される電力の制御を行う制御手段と、
上記蓄電装置が装着された際に、当該蓄電装置が所定の使用対象装置に装着されて使用される場合の使用可能残時間を表示する使用可能残時間表示手段と、
上記第１のインターフェース手段とデータの通信を行う第２のインターフェース手段と、
上記第２のインターフェース手段及び上記第１のインターフェース手段を介して供給される、上記第１の記憶手段に記憶されている上記電力量と上記消費電力情報を用いて、上記使用可能残時間表示手段に表示される使用可能残時間を演算する第２の演算処理手段とを具備することを特徴とする充電システム。
【請求項２】
上記使用対象装置は、
上記第１のインターフェース手段とデータの通信を行う第３のインターフェース手段と、
当該使用対象装置の消費電力情報を記憶する第２の記憶手段とを具備し、
上記第３のインターフェース手段及び上記第１のインターフェース手段を介して、上記第２の記憶手段に記憶されている消費電力情報を上記蓄電装置に供給することを特徴とする請求項１記載の充電システム。
【請求項３】
電力を蓄積する蓄電手段と、
上記蓄電手段に蓄積されている蓄積電力又は上記蓄電手段に蓄積されている電力が消費された際の消費電力を検出する電力検出手段と、
上記電力検出手段の検出出力を積算して、上記蓄電手段に蓄積されている電力量を演算する演算処理手段と、
上記使用対象装置に装着された際に、使用対象装置の消費電力情報を抽出する消費電力情報抽出手段と、
上記演算処理手段の演算処理に用いられ、上記演算処理手段により演算された上記電力量と、上記消費電力情報抽出手段により抽出された上記消費電力情報を記憶する記憶手段と、
外部とデータの通信を行うインターフェース手段とを具備し、
上記演算処理手段は、上記記憶手段に記憶されている上記電力量及び上記消費電力情報を上記インターフェース手段を介して外部に出力することを特徴とする蓄電装置。
【請求項４】
外部装置が装着された際に、当該外部装置に電力を供給する電力供給手段と、上記電力供給手段から出力される電力の制御を行う制御手段を有する充電装置において、
上記外部装置が装着された際に、当該外部装置が所定の使用対象装置に装着されて使用される場合の使用可能残時間を表示する使用可能残時間表示手段と、
上記外部装置とデータの通信を行うインターフェース手段と、
上記インターフェース手段を介して供給される、当該外部装置の現在の電力量と、当該外部装置が装着される使用対象装置の消費電力情報を用いて、上記使用可能残時間表示手段に表示される使用可能残時間を演算する演算処理手段とを具備することを特徴とする充電装置。
【請求項５】
蓄電手段を有する蓄電装置を電源として駆動する電子装置において、
上記蓄電装置とのデータの通信を行うインターフェース手段と、
上記インターフェース手段を介して行われるデータの通信に用いられ、当該電子装置の消費電力情報を記憶する記憶手段とを具備し、
上記インターフェース手段を介して、上記記憶手段に記憶されている消費電力情報を上記蓄電装置に供給することを特徴とする電子装置。
【手続補正３】
【補正対象書類名】明細書
【補正対象項目名】０００７
【補正方法】変更
【補正の内容】
【０００７】
【課題を解決するための手段】
上記課題を解決するため、本発明に係る充電システムは、電力を蓄積する蓄電装置と、当該蓄電装置を充電する充電装置とから構成され、当該蓄電装置は、当該充電装置に装着され、電力が充電された後、使用対象装置に装着され、使用対象装置に電力を供給する充電システムにおいて、上記蓄電装置は、電力を蓄積する蓄電手段と、上記蓄電手段に蓄積されている蓄積電力又は上記蓄電手段に蓄積されている電力が消費された際の消費電力を検出する電力検出手段と、上記電力検出手段の検出出力を積算して、上記蓄電手段に蓄積されている電力量を演算する第１の演算処理手段と、上記使用対象装置に装着された際に、使用対象装置の消費電力情報を抽出する消費電力情報抽出手段と、上記第１の演算処理手段の演算処理に用いられ、上記第１の演算処理手段により演算された上記電力量と、上記消費電力情報抽出手段により抽出された上記消費電力情報を記憶する第１の記憶手段と、上記充電装置及び上記使用対象装置とデータの通信を行う第１のインターフェース手段とを具備し、上記充電装置は、上記蓄電装置が装着された際に、上記蓄電手段に電力を供給する電力供給手段と、上記電力供給手段から出力される電力の制御を行う制御手段と、上記蓄電装置が装着された際に、当該蓄電装置が所定の使用対象装置に装着されて使用される場合の使用可能残時間を表示する使用可能残時間表示手段と、上記第１のインターフェース手段とデータの通信を行う第２のインターフェース手段と、上記第２のインターフェース手段及び上記第１のインターフェース手段を介して供給される、上記第１の記憶手段に記憶されている上記電力量と上記消費電力情報を用いて、上記使用可能残時間表示手段に表示される使用可能残時間を演算する第２の演算処理手段とを具備する。
また、上記課題を解決するために、本発明に係る蓄電装置は、電力を蓄積する蓄電手段と、上記蓄電手段に蓄積されている蓄積電力又は上記蓄電手段に蓄積されている電力が消費された際の消費電力を検出する電力検出手段と、上記電力検出手段の検出出力を積算して、上記蓄電手段に蓄積されている電力量を演算する演算処理手段と、上記使用対象装置に装着された際に、使用対象装置の消費電力情報を抽出する消費電力情報抽出手段と、上記演算処理手段の演算処理に用いられ、上記演算処理手段により演算された上記電力量と、上記消費電力情報抽出手段により抽出された上記消費電力情報を記憶する記憶手段と、外部とデータの通信を行うインターフェース手段とを具備し、上記演算処理手段は、上記記憶手段に記憶されている上記電力量及び上記消費電力情報を上記インターフェース手段を介して外部に出力する。
また、上記課題を解決するために、本発明に係る充電装置は、外部装置が装着された際に、当該外部装置に電力を供給する電力供給手段と、上記電力供給手段から出力される電力の制御を行う制御手段を有する充電装置において、上記外部装置が装着された際に、当該外部装置が所定の使用対象装置に装着されて使用される場合の使用可能残時間を表示する使用可能残時間表示手段と、上記外部装置とデータの通信を行うインターフェース手段と、上記インターフェース手段を介して供給される、当該外部装置の現在の電力量と、当該外部装置が装着される使用対象装置の消費電力情報を用いて、上記使用可能残時間表示手段に表示される使用可能残時間を演算する演算処理手段とを具備する。
さらに、上記課題を解決するために、本発明に係る電子装置は、蓄電手段を有する蓄電装置を電源として駆動する電子装置において、上記蓄電装置とのデータの通信を行うインターフェース手段と、上記インターフェース手段を介して行われるデータの通信に用いられ、当該電子装置の消費電力情報を記憶する記憶手段とを具備し、上記インターフェース手段を介して、上記記憶手段に記憶されている消費電力情報を上記蓄電装置に供給する。


【手続補正４】
【補正対象書類名】明細書
【補正対象項目名】００２４
【補正方法】変更
【補正の内容】
【００２４】
【発明の効果】
以上説明したように本発明の請求項１の発明は、電力を蓄積する蓄電装置と、当該蓄電装置を充電する充電装置とから構成され、当該蓄電装置は、当該充電装置に装着され、電力が充電された後、使用対象装置に装着され、使用対象装置に電力を供給する充電システムにおいて、蓄電装置は、電力を蓄積する蓄電手段と、蓄電手段に蓄積されている蓄積電力又は蓄電手段に蓄積されている電力が消費された際の消費電力を検出する電力検出手段と、電力検出手段の検出出力を積算して、上記蓄電手段に蓄積されている電力量を演算する第１の演算処理手段と、使用対象装置に装着された際に、使用対象装置の消費電力情報を抽出する消費電力情報抽出手段と、第１の演算処理手段の演算処理に用いられ、第１の演算処理手段により演算された電力量と、消費電力情報抽出手段により抽出された消費電力情報を記憶する第１の記憶手段と、充電装置及び使用対象装置とデータの通信を行う第１のインターフェース手段とを具備し、充電装置は、蓄電装置が装着された際に、蓄電手段に電力を供給する電力供給手段と、電力供給手段から出力される電力の制御を行う制御手段と、蓄電装置が装着された際に、当該蓄電装置が所定の使用対象装置に装着されて使用される場合の使用可能残時間を表示する使用可能残時間表示手段と、第１のインターフェース手段とデータの通信を行う第２のインターフェース手段と、第２のインターフェース手段及び第１のインターフェース手段を介して供給される、第１の記憶手段に記憶されている電力量と消費電力情報を用いて、使用可能残時間表示手段に表示される使用可能残時間を演算する第２の演算処理手段とを具備することを特徴とする。
これにより、比較的簡単な方法で、特別な操作をすることなく、蓄電池を充電器で充電中に、充電中の蓄電池を取り外して使用対象機器に装着する等の手間をかけることなく、蓄電池を現在の充電量で使用対象機器に使用した場合の使用可能残時間を容易に知ることができ、蓄電池の使用勝手を大幅に改善することができる。使用可能残時間が表示されているため、完全な充電終了を待たずに、蓄電池をこの段階で使用対象機器に用いることができるかどうかの判断を容易に下すことができ、結果的に充電効率を高めることができる。


【手続補正５】
【補正対象書類名】明細書
【補正対象項目名】００２５
【補正方法】変更
【補正の内容】
【００２５】
請求項２の発明は、請求項１に係る使用対象装置は、第１のインターフェース手段とデータの通信を行う第３のインターフェース手段と、当該使用対象装置の消費電力情報を記憶する第２の記憶手段とを具備し、第３のインターフェース手段及び第１のインターフェース手段を介して、第２の記憶手段に記憶されている消費電力情報を蓄電装置に供給することを特徴とする。
これにより、使用対象装置の消費電力情報を自動的に蓄電池内の記憶手段に記憶させ、蓄電池を充電器で充電させる過程で前回使用の使用対象装置の消費電力情報を用いて使用可能残時間を表示させることができ、そのために特別の操作を行うことなく容易に扱うことができる。
請求項３の発明は、電力を蓄積する蓄電手段と、蓄電手段に蓄積されている蓄積電力又は蓄電手段に蓄積されている電力が消費された際の消費電力を検出する電力検出手段と、電力検出手段の検出出力を積算して、蓄電手段に蓄積されている電力量を演算する演算処理手段と、使用対象装置に装着された際に、使用対象装置の消費電力情報を抽出する消費電力情報抽出手段と、演算処理手段の演算処理に用いられ、演算処理手段により演算された電力量と、消費電力情報抽出手段により抽出された消費電力情報を記憶する記憶手段と、外部とデータの通信を行うインターフェース手段とを具備し、演算処理手段は、記憶手段に記憶されている電力量及び消費電力情報をインターフェース手段を介して外部に出力することを特徴とする。
これにより、比較的簡単な方法で、特別な操作をすることなく、蓄電池を充電器で充電中に、充電中の蓄電池を取り外して使用対象機器に装着する等の手間をかけることなく、蓄電池を現在の充電量で使用対象機器に使用した場合の使用可能残時間を容易に知ることができ、蓄電池の使用勝手を大幅に改善することができる。使用可能残時間が表示されているため、完全な充電終了を待たずに、蓄電池をこの段階で使用対象機器に用いることができるかどうかの判断を容易に下すことができ、結果的に充電効率を高めることができる。
請求項４の発明は、外部装置が装着された際に、当該外部装置に電力を供給する電力供給手段と、電力供給手段から出力される電力の制御を行う制御手段を有する充電装置において、外部装置が装着された際に、当該外部装置が所定の使用対象装置に装着されて使用される場合の使用可能残時間を表示する使用可能残時間表示手段と、外部装置とデータの通信を行うインターフェース手段と、インターフェース手段を介して供給される、当該外部装置の現在の電力量と、当該外部装置が装着される使用対象装置の消費電力情報を用いて、使用可能残時間表示手段に表示される使用可能残時間を演算する演算処理手段とを具備することを特徴とする。
これにより、比較的簡単な方法で、特別な操作をすることなく、蓄電池を充電器で充電中に、充電中の蓄電池を取り外して使用対象機器に装着する等の手間をかけることなく、蓄電池を現在の充電量で使用対象機器に使用した場合の使用可能残時間を容易に知ることができ、蓄電池の使用勝手を大幅に改善することができる。使用可能残時間が表示されているため、完全な充電終了を待たずに、蓄電池をこの段階で使用対象機器に用いることができるかどうかの判断を容易に下すことができ、結果的に充電効率を高めることができる。
請求項５の発明は、蓄電手段を有する蓄電装置を電源として駆動する電子装置において、蓄電装置とのデータの通信を行うインターフェース手段と、インターフェース手段を介して行われるデータの通信に用いられ、当該電子装置の消費電力情報を記憶する記憶手段とを具備し、インターフェース手段を介して、記憶手段に記憶されている消費電力情報を蓄電装置に供給することを特徴とする。
これにより、使用対象装置の消費電力情報を自動的に蓄電池内の記憶手段に記憶させ、蓄電池を充電器で充電させる過程で前回使用の使用対象装置の消費電力情報を用いて使用可能残時間を表示させることができ、そのために特別の操作を行うことなく容易に扱うことができる。